(57)【特許請求の範囲】
【請求項１】
筐体と、該筐体にヒンジを介して設けられ、該筐体の前面開口部を開閉自在にする前面扉と、該筐体内に設けられ、消火用ホースが内巻きに収容されるホース収容部とを備えた消火栓装置において、
該前面扉が、該ホース収容部の開口部に臨む位置を境として、該筐体の前面開口部の上縁にヒンジを介して設けられた上側扉と、該筐体の前面開口部の下縁にヒンジを介して設けられた下側扉とに分割されてなるものであり、
該上側扉と下側扉のいずれか一方の扉が、その扉を開けると、該ホース収容部の開口部が該開口部より消火用ホースを引き出すことができる程度に外部に露出する如く設けられるものであることを特徴とする消火栓装置。
【請求項２】
筐体と、該筐体にヒンジを介して設けられ、該筐体の前面開口部を開閉自在にする前面扉と、該筐体内に設けられ、消火用ホースが内巻きに収容されるホース収容部とを備えた消火栓装置において、
該前面扉が、該ホース収容部の開口部に臨む位置を境として、該筐体の前面開口部の右側縁にヒンジを介して設けられた右側扉と、該筐体の前面開口部の左側縁にヒンジを介して設けられた左側扉とに分割されてなるものであり、
該右側扉と左側扉のいずれか一方の扉が、その扉を開けると、該ホース収容部の開口部が該開口部より消火用ホースを引き出すことができる程度に外部に露出する如く設けられるものであることを特徴とする消火栓装置。
【請求項３】
筐体と、該筐体にヒンジを介して設けられ、該筐体の前面開口部を開閉自在にする前面扉と、該筐体内に設けられ、消火用ホースが内巻きに収容されるホース収容部とを備えた消火栓装置において、
該前面扉が、該ホース収容部の開口部に臨む位置を境として、該筐体の前面開口部の上縁にヒンジを介して設けられた上側扉と、該筐体の前面開口部の下縁にヒンジを介して設けられた下側扉とに分割されてなるものであり、
該上側扉と下側扉のいずれか一方の扉が、その扉を開けると、該ホース収容部の開口部が該開口部より消火用ホースを引き出すことができる程度に外部に露出する如く設けられるものであり、他方の扉が、その扉を閉めると、該筐体内に設けられた消火栓装置のメンテナンス用操作部を覆う如く設けられるものであることを特徴とする消火栓装置。
【請求項４】
筐体と、該筐体にヒンジを介して設けられ、該筐体の前面開口部を開閉自在にする前面扉と、該筐体内に設けられ、消火用ホースが内巻きに収容されるホース収容部とを備えた消火栓装置において、
該前面扉が、該ホース収容部の開口部に臨む位置を境として、該筐体の前面開口部の右側縁にヒンジを介して設けられた右側扉と、該筐体の前面開口部の左側縁にヒンジを介して設けられた左側扉とに分割されてなるものであり、
該右側扉と左側扉のいずれか一方の扉が、その扉を開けると、該ホース収容部の開口部が該開口部より消火用ホースを引き出すことができる程度に外部に露出する如く設けられるものであり、他方の扉が、その扉を閉めると、該筐体内に設けられた消火栓装置のメンテナンス用操作部を覆う如く設けられるものであることを特徴とする消火栓装置。
【発明の詳細な説明】
【０００１】
【発明の属する技術分野】
この発明は、例えばトンネル等に設置される、消火用ホースを装置内に内巻き式に収納した消火栓装置に関する。
【０００２】
【従来の技術】
例えばトンネル等に設備される消火栓装置は、一般に基端部が消火剤供給源に連結され、先端部にノズルを有する消火用ホースを備えており、この消火用ホースを介してノズルより放出される消火剤により発生した火災を消火する如く用いられるものである。このような消火用ホースを備えた消火栓装置において、消火用ホースは、常時においては筐体内に巻き付けられて収容されており、火災発生時においては筐体内より引き出されて用いられる。
【０００３】
上記のような消火栓装置において消火用ホースを筐体内に内巻き式に巻き付けて収納しておく所謂内巻き式の消火栓装置がある。この内巻き式の消火栓装置は、筐体内に消火用ホースを内巻き式に巻き付けて収納するためのホース収納部を備え、そのホース収納部内部に外側から中心に向けて順次消火用ホースを巻き付けて収容するものであり、消火用ホースをホース収納部から引き出すため、又は消火用ホースをホース収納部に収納するための開口部をホース収納部の前面側に備えている。
【０００４】
内巻き式の消火栓装置は、常時においては筐体内のホース収容部やその開口部、消火栓弁等の内容物を覆い隠すことができ、火災発生時又は点検時において前記内容物を露出させる大きな一枚扉を消火栓装置の筐体の前面に有している。この前面扉は、その開閉を容易にすることができるように筐体にヒンジを介して設けられている。
【０００５】
【発明が解決しようとする課題】
近年消火栓装置の前面扉の縮小化の要望がある（トンネルに設置される消火栓装置の場合、車道に隣接する側路に設置されるので消火栓装置の扉は小さい方が望ましく、小型化の要望が特にある。）が、従来の内巻き式の消火栓装置は、上記のようにその前面扉が大きな一枚扉であり且つ装置箱にヒンジを介して設けられているので、前面扉を開けるときにはその回転半径の寸法分装置箱より外方に突出してしまうこととなる。このため、扉を開けるときに、その前方に空間を用意しておく必要があり、物があると衝撃によりその物が破損するおそれがあった。また、壁面設置の場合には、空間に飛び出す形状となり、通行の際に危険であった。
【０００６】
この発明は、上記事情に鑑み、内巻き式の消火栓装置において、消火栓装置の筐体にヒンジを介して設けられた前面扉を備えていても、消火栓装置の扉を開けたときに突出する寸法を縮小することができるようにすることを目的とする。
【０００７】
【課題を解決するための手段】
上記目的を達成するこの発明について述べれば、それは、筐体と、該筐体にヒンジを介して設けられ、該筐体の前面開口部を開閉自在にする前面扉と、該筐体内に設けられ、消火用ホースが内巻きに収容されるホース収容部とを備えた消火栓装置において、該前面扉が、該ホース収容部の開口部に臨む位置を境として、該筐体の前面開口部の上縁にヒンジを介して設けられた上側扉と、該筐体の前面開口部の下縁にヒンジを介して設けられた下側扉とに分割されてなるものである消火栓装置である。これによれば、消火栓装置の筐体の前面扉が上側扉と下側扉とに分割されているので、前面扉が一枚扉からなる従来の消火栓装置に比して前面扉を開けるときに外方に突出する寸法が短くすることができる。したがって、消火栓装置の扉の開放状態を縮小化することができるようになる。
【０００８】
また、筐体と、該筐体にヒンジを介して設けられ、該筐体の前面開口部を開閉自在にする前面扉と、該筐体内に設けられ、消火用ホースが内巻きに収容されるホース収容部とを備えた消火栓装置において、該前面扉が、該ホース収容部の開口部に臨む位置を境として、該筐体の前面開口部の右側縁にヒンジを介して設けられた右側扉と、該筐体の前面開口部の左側縁にヒンジを介して設けられた左側扉とに分割されてなるものである消火栓装置である。これによっても、消火栓装置の筐体の前面扉が右側扉と左側扉とに分割されているので、前面扉が一枚扉からなる従来の消火栓装置に比して前面扉を開けるときに外方に突出する寸法を短くすることができる。したがって、消火栓装置の扉の開放状態を縮小化することができるようになる。
【０００９】
また、前記上側扉と下側扉のいずれか一方の扉が、又は前記右側扉と左側扉のいずれか一方の扉が、その扉を開けると、前記ホース収容部の開口部が該開口部より消火用ホースを引き出すことができる程度に外部に露出する如く設けられるものである前記の消火栓装置である。これによれば、操作者が消火活動を行うべく消火用ホースを引き出すときに、２枚の扉のうちいずれか一方の扉を開けるだけで消火用ホースを引き出すことができるので、前面扉が分割されていても迅速に消火用ホースを引き出すことができ、火災の初期消火に貢献できる。
【００１０】
また、前記上側扉と下側扉のいずれか一方の扉が、又は前記右側扉と左側扉のいずれか一方の扉が、その扉を開けると、前記ホース収容部の開口部が該開口部より消火用ホースを引き出すことができる程度に外部に露出する如く設けられるものであり、他方の扉が、その扉を閉めると、前記筐体内に設けられた消火栓装置のメンテナンス用操作部を覆う如く設けられるものである消火栓装置である。これによれば、操作者が消火活動を行うべく消火用ホースを引き出すときに、２枚の扉のうちいずれか一方の扉を開けるだけで消火用ホースを引き出すことができるので、前面扉が分割されていても迅速に消火用ホースを引き出すことができ、火災の初期消火に貢献できるともに、他方の扉を閉めておけば、操作者が誤って消火装置のメンテナンス用操作部を操作してしまうことを防ぐことができる。
【００１１】
【発明の実施の形態】
この発明の第１の実施の形態を図１及び図２に基づき説明する。図１において、消火栓装置１は、消火用ホースを内巻きに収容してなる所謂内巻き式の消火栓装置である。この消火栓装置１は、筐体３０内に、先端にノズルを有する消火用ホース５、消火用ホース５を内巻きに収容するホース収容部２２、消火栓弁３５等を備えている。筐体３０は、その前面側に前面開口部３０ａを有し、その前面開口部３０ａを開閉自在にする上側扉３１と下側扉３２とを備えている。上側扉３１と下側扉３２は、前面開口部３０ａの上縁と下縁にそれぞれ図示しないヒンジを介して上下に開閉自在に設けられている。この上側扉３１と下側扉３２を開閉することにより筐体３０内の消火用ホース５、ホース収容部２２、消防隊用給水栓３５、図示しない消火栓弁等が露出したり覆い隠されたりすることとなる。
【００１２】
上記のように、筐体３０の前面開口部３０ａを開閉自在にする扉が上側扉３１と下側扉３２とに分割されている。これにより、筐体の前面の扉が一枚扉からなる従来の消火栓装置に比して扉を開けるときに外方に突出する寸法が短くすることができる。
【００１３】
下側扉３２は、その扉を開けると、ホース収容部２２の開口部２２ａが該開口部２２ａより消火用ホース５を引き出すことができる程度に外部に露出する如く設けられている。これにより消火用ホース５をホース収容部２２から引き出すには下側扉３２だけを開ければよいこととなる。さらに下側扉３２は、その扉を開けると、消火栓弁の開閉操作部がそれを操作できる程度に外部に露出する如く設けられている。したがって、火災発生時には下側扉だけを開ければ、消火用ホース５の引き出しもできるし、消火栓弁の開閉操作もできることとなる。同時に、消防隊用給水栓３５の利用も下側扉３２のみを開ければよい。
【００１４】
上側扉３１は、その扉を閉めると、前記筐体３０内に収容された図示しない消火栓装置のメンテナンス用操作部を覆う如く設けられている。これにより、火災発生時に上側扉３１を閉めておくことで、操作者が誤って消火栓装置のメンテナンス用操作部を操作してしまうことを防ぐことができる（消火用ホース５の引き出し及び消火栓弁３５の開閉操作は上記のように下側扉３２を開けるだけでできる）。
【００１５】
さらに、上側扉３１は、図２に示すように、その下端部３１ａがホース収容部２２の開口部２２ａに臨む如く設けられている。これにより、消火用ホース５がホース収容部２２から引き出されるときに消火用ホース５は上側扉３１の下端部３１ａに接触しながら引き出されることとなる。したがって、消火用ホース５の動きを上側扉３１の下端部３１ａにより消火用ホース５がばらけないように制限することができ、消火用ホース５を円滑に引き出すことができる。
【００１６】
次にこの発明の第２の実施の形態を図３に基づき説明する（第１の実施の形態と同一の名称及び機能を有するものは同一図面符号を付してその説明を省略する）第２の実施の形態は、第１の実施の形態の上側扉３１及び下側扉３２に代えて、右側扉４１及び左側扉４２を設けたものである。即ち、図３に示すように消火栓装置５０の筐体５１の前面開口部５１ａを開閉自在にする右側扉４１と左側扉４２とを備えている。この右側扉４１及び左側扉４２は前面開口部５１ａの右側縁と左側縁にそれぞれ図示しないヒンジを介して左右に開閉自在に設けられている。
【００１７】
上記のように、筐体５１の前面開口部５１ａを開閉自在にする扉が右側扉４１と左側扉４２とに分割されている。したがってこれによっても、上記第１の実施の形態と同様に、筐体の前面の扉が一枚扉からなる従来の消火栓装置に比して扉を開けるときに外方に突出する寸法が短くすることができる。
【００１８】
左側扉４２は、その扉を開けると、ホース収容部２２の開口部２２ａが該開口部２２ａより消火用ホース５を引き出すことができる程度に外部に露出する如く設けられれている。これにより消火用ホース５をホース収容部２２から引き出すには左側扉４２だけを開けるだけでよいこととなる。さらに左側扉３２は、その扉を開けると、図示しない消火栓弁の開閉操作部がそれを操作できる程度に外部に露出する如く設けられている。したがって、火災発生時には左側扉だけを開ければ、消火用ホース５の引き出しもできるし、消火栓弁の開閉操作もできることとなる。同時に、消防隊用給水栓３５の利用も、一方の扉４２のみを開ければよい。
【００１９】
右側扉４１は、その扉を閉めると、前記筐体５０内に収容された図示しない消火栓装置のメンテナンス用操作部を覆う如く設けられている。これにより、火災発生時に右側扉４１を閉めておくことで、操作者が誤って消火栓装置のメンテナンス用操作部を操作してしまうことを防ぐことができる（消火用ホース５の引き出し及び消火栓弁の開閉操作は上記のように左側扉４２を開けるだけでできる）。
【００２０】
なお、上記第１の実施の形態及び第２の実施の形態に共通することであるが、消火栓装置の点検作業を行うとき、或いは、消火用ホース５をホース収容部に収容するときには、上側扉３１及び下側扉３２の両扉を、右側扉４１及び左側扉４２の両扉を開けるようにすれば、消火栓装置の点検作業或いは消火用ホースの収容作業を行い易くすることができる。
【００２１】
【実施例】
上記の如き消火栓装置１をさらに具体化した消火栓装置１００についてそれを図４に基づいて説明する。なお、消火栓装置１と同一図面符号を付したものはその名称も機能も同一である。
【００２２】
図４において、消火栓装置１００は、例えばトンネル等に設置される、消火用ホース５を内巻きに収容してなる所謂内巻き式の消火栓装置である。この消火栓装置１００は、筐体１０内に、消火用ホース５を内巻きに収容するホース収容部１１を形成するホースバケット１２、三方切替弁４、圧力調整弁２、消火栓弁３、消防隊用給水栓３５等を備えている。
【００２３】
ホースバケット１２は、筐体１０の内壁上面から内壁下面に至る２本の棒状体１５，１５とその棒状体１５，１５から筐体１０の内壁背面に至る略Ｌ字状に屈曲した２枚の帯板１６，１６とからなり、２本の棒状体１５の間に形成される中央開口部１２ａから消火用ホース５を引き出したり収容したりする。またこのホースバケット１２の帯板１６，１６と筐体１０の内壁上面と内壁下面との間には隅部開口部が設けられている。これにより、ホースバケット１２の中央開口部１２ａから消火用ホース５をホースバケット１２内即ちホース収容部１１内に収容するときに、隅部開口部から消火用ホース５がホース収容部１１内にどのように巻き付けられているかを目視により確認することができ、また、その隅部開口部からホース収容部１１内に手を入れて消火用ホース５を押し込んだり整えたりすることができる。したがって、ホース収容部１１内に消火用ホース５を整然と巻き付けて収容するのを容易に行うことができる。
【００２４】
筐体１０は、その前面に前面開口部１０ａを有し、その前面開口部１０ａを開閉自在にする、開口部１０ａの上縁と下縁にそれぞれヒンジを介して設けられた上側扉１３と下側扉としての前傾扉１４とを備えている。即ち筐体１０は上側扉１３と下側扉としての前傾扉１４とに分割された扉をその前面に備えている。これにより筐体の前面の扉が一枚扉からなる消火栓装置に比して扉を開けるときに外方に突出する寸法を短くすることができる。
【００２５】
前傾扉１４は、その扉を開けると、ホース収容部１１の中央開口部１２ａが該開口部１２ａより消火用ホース５を引き出すことができる程度に外部に露出する如く設けられている。これにより消火用ホース５をホース収容部１１から引き出すには前傾扉１４だけを開ければよいこととなる。
【００２６】
上側扉１３は、その扉を閉めると、前記筐体１０内に収容されたメンテナンス用の三方切替弁４の開閉操作部を覆う如く設けられている。これにより、火災発生時に上側扉１３を閉めておくことで、操作者が誤って三方切替弁４の開閉操作部を操作してしまうことを防ぐことができる。
【００２７】
前傾扉１４の内面側には、消火用ホース５が挿通されるホースガイド１７、消火栓弁３の開閉レバー１９、自在アングルノズル６０のノズルホルダ６０ｈ等が設けられている。この前傾扉１４内部には例えば前記開閉レバー１９の機構部等が内蔵されており、それらを覆う裏板１４ａが前傾扉１４の内面側には設けられており、前記ホースガイド１７及び開閉レバー１９はこの裏板１４ａ上に設けられている。さらに前傾扉１４には前記ホース収容部１１の位置に対応した位置に凹部１４ｂを有している。
【００２８】
ホースガイド１７は、前傾扉１４の内面に垂直方向に立設された二本の縦方向棒状体と、該２本の棒状体のそれぞれの上端を架け渡す如く、且つ前傾扉に対して水平方向に向かう如く設けられた横方向棒状体とからなる。即ちホースガイド１７は、その全体としては略Ｕ字状を形成している。このホースガイド１７の内部には消火用ホース５が挿通される挿通部が形成され、ホースガイド１７の内面に消火用ホース５が引き出されるときに消火用ホース５に接触するガイド面が形成されている。これにより消火用ホース５を操作者が引き出すときに、消火用ホース５はホースガイド１７のガイド面に接触しながら引き出されることとなる。このため、消火用ホース５は、ガイド面との摩擦抵抗によりその移動が適度に制限されることとなる。したがって、操作者が意図しない程度まで消火用ホース５が出てくるのをこのホースガイド１７によって防ぐことができる。
【００２９】
自在アングルノズル６０は、放出口部６０ａとく字状の接続部６０ｂとからなり、放出口部６０ａと消火用ホース５との接続をく字状の接続部６０ｂを介して接続し、放出口部６０ａとく字状の接続部６０ｂとの接続部分を回転自在としたものである。これにより、自在アングルノズル６０をノズルホルダ６０ｈに前傾扉１４の上辺と平行な方向に向けて収容するときにく字状の接続部６０ｂの消火用ホース５との接続側をホース収容部１１の中央開口部１２ａ側に向けることにより、消火用ホース５もホース収容部１１の中央開口部１２ａ側に向かうこととなる。このためホース収容部１１とノズルホルダ６０ｈとの間の消火用ホース５のたるみを少なくすることができるとともに、たるみがあったとしてもそのたるんだ部分を中央開口部１２ａからホース収容部１１内の余裕空間に収容することができる。したがって、ホース収容部１１とノズルホルダ６０ｈとの間に消火用ホース５のたるみがあることにより生じる不具合（例えば消火用ホース５がホース収容部１１と前傾扉１４との間に挟まれて前傾扉１４を閉めることができないことや、それを防ぐ目的でホース収容部１１と前傾扉１４との間に隙間を設けることによって装置が大型化してしまうこと等）を解消することができる。
【００３０】
本実施例では、ホース収容部１１とノズルホルダ６０ｈとの間に消火用ホース５のたるみがあることにより生じる不具合を、凹部１４ｂがあることによりさらに解消することができる。即ち、凹部１４ｂにホース収容部１１とノズルホルダ６０ｈとの間に消火用ホース５のたるみ部分を収容することで前記不具合をさらに解消することができる。
【００３１】
１８は消火栓装置の操作上の注意事項等を表示する操作銘板であり、図示しない起伏手段により前傾扉１４の開閉に連動して起伏する如く設けられている。即ち、操作銘板１８は前傾扉１４を開けたときに前傾扉１４の内面側より起立し、前傾扉１４を閉めたときに前傾扉１４の内面側に伏す如く設けられている。これにより前傾扉１４を開けたときには操作銘板１８は前傾扉１４の内面から起立して操作者がそれを確認し易い状態にすることができ、前傾扉１４を閉じたときには操作銘板１８は前傾扉１４の内面に対し伏した状態となり筐体１０内に操作銘板１８が起立するスペースを確保する必要をなくすることができる。
【００３２】
【発明の効果】
この発明は上記の如く構成したので、消火栓装置の筐体の前面扉が上側扉と下側扉とに分割されているので、前面扉が一枚扉からなる従来の消火栓装置に比して前面扉を開けるときに外方に突出する寸法が短くすることができる。したがって、消火栓装置の扉の開放状態を縮小化することができるようになる。
【００３３】
また、消火栓装置の筐体の前面扉が右側扉と左側扉とに分割されているので、これによっても前面扉が一枚扉からなる従来の消火栓装置に比して前面扉を開けるときに外方に突出する寸法を短くすることができる。したがって、消火栓装置の扉の開放状態を縮小化することができるようになる。
【００３４】
また、上側扉と下側扉のいずれか一方の扉が、又は右側扉と左側扉のいずれか一方の扉が、その扉を開けると、ホース収容部の開口部が該開口部より消火用ホースを引き出すことができる程度に外部に露出する如く設けられるものであるので、操作者が消火活動を行うべく消火用ホースを引き出すときに、２枚の扉のうちいずれか一方の扉を開けるだけで消火用ホースを引き出すことができる。したがって、前面扉が分割されていても迅速に消火用ホースを引き出すことができ、火災の初期消火に貢献できる。
【００３５】
上側扉と下側扉のいずれか一方の扉が、又は右側扉と左側扉のいずれか一方の扉が、その扉を開けると、ホース収容部の開口部が該開口部より消火用ホースを引き出すことができる程度に外部に露出する如く設けられるものであり、他方の扉が、その扉を閉めると、筐体内に設けられた消火栓装置の点検操作部を覆う如く設けられるものであるので、操作者が消火活動を行うべく消火用ホースを引き出すときに、２枚の扉のうちいずれか一方の扉を開けるだけで消火用ホースを引き出すことができ、前面扉が分割されていても迅速に消火用ホースを引き出すことができ、火災の初期消火に貢献できるともに、他方の扉を閉めておけば、操作者が誤って消火装置の点検操作部を操作してしまうことを防ぐことができる。
【００３６】
【図面の簡単な説明】
【図１】この発明の消火栓装置の第１の実施の形態を示す図で、上側扉及び下側扉を開けた状態における消火栓装置の斜視図である。
【図２】同上の実施の形態を示す図で、下側扉のみを開けた状態における消火装置の断面図である。
【図３】この発明の消火栓装置の第２の実施の形態を示す図で、右側扉及び左側扉を開けた状態における消火栓装置の斜視図である。
【図４】この発明の消火栓装置の実施例を示す図で、前傾扉（下側扉）を開けた状態における斜視図である。
【符号の説明】
１      消火栓装置
５      消火用ホース
２２    ホース収容部
２２ａ  開口部
３０    筐体
３０ａ  開口部
３１    上側扉
３２    下側扉
４１    右側扉
４２    左側扉
５０    消火栓装置
５１    筐体
５１ａ  開口部
【図１】
0003641777.tif 000002
【図２】
0003641777.tif 000003
【図３】
0003641777.tif 000004
【図４】
0003641777.tif 000005